(57)【特許請求の範囲】
【請求項１】
組織に対して外科手術手順を実施するためのシステムであって、該システムは、以下：
外科手術用器具であって、該外科手術用器具は、エンドエフェクタを備え、該エンドエフェクタは、第一の組織係合部材、および該第一の組織係合部材に併置された関係の第二の組織係合部材を備える、外科手術用器具と；
該第一の組織係合部材と該第二の組織係合部材との間のギャップ距離を、初期組織厚さとして記録するためのプロセッサと；を備え、
該第一の組織係合部材および該第二の組織係合部材は、該組織の反対側に位置決めされるように構成されており；
該第一の組織係合部材および該第二の組織係合部材は、組織接触決定要素が該組織と接触するまで接近されるように構成されており；
該第一の組織係合部材および該第二の組織係合部材は、さらに接近されて、該組織係合部材の間の組織を圧縮するように構成されており；
該プロセッサがさらに、該組織が該第一の組織係合部材と該第二の組織係合部材との間で圧縮されるとき、該組織に対する圧縮の力およびひずみのうちの少なくとも１つをモニタリングし、該組織に対する圧縮の力およびひずみのうちの少なくとも一方が圧縮またはひずみの所定のレベルに達したとき、信号を活性化するように構成されており、
該外科手術用器具が、以下：
ギャップ決定要素であって、該ギャップ決定要素は、該エンドエフェクタから遠く離れて位置決めされ、かつフレーム部材上に作動可能に支持されており、該ギャップ決定要素は、該第一の組織係合部材および該第二の組織係合部材の各々に作動可能に結びついており、該第一の組織係合部材と該第二の組織係合部材との間の該ギャップ距離を測定するものである、ギャップ決定要素；ならびに
組織接触決定要素であって、該組織接触決定要素は、該第一の組織係合部材および該第二の組織係合部材のうちの少なくとも一方のそれぞれの組織接触表面に作動可能に結びついている、組織接触決定要素、を備える、
システム。
【請求項２】
前記プロセッサが、前記ギャップ決定要素および組織接触決定要素の各々に作動可能に接続されている、請求項１に記載のシステム。
【請求項３】
前記第一の組織係合部材および前記第二の組織係合部材が前記組織に接触すると、前記組織接触決定要素は、前記プロセッサに信号を伝達する、請求項２に記載のシステム。
【請求項４】
前記ギャップ決定要素は、前記プロセッサに、前記第一の組織係合部材と前記第二の組織係合部材との間の距離に関する信号を伝達する、請求項３に記載のシステム。
【請求項５】
前記第一の組織係合部材と前記第二の組織係合部材との間の距離の減少の結果として、前記組織に対する圧縮力およびひずみのうちの少なくとも１つが決定される、請求項４に記載のシステム。
【請求項６】
前記組織に対する圧縮力およびひずみのうちの少なくとも１つが、所定のレベルの圧縮またはひずみに達した場合に、信号が活性化される、請求項５に記載のシステム。
【請求項７】
前記組織の圧縮の前に、前記組織についての所定のレベルの圧縮またはひずみが設定され得る、請求項６に記載のシステム。
【請求項８】
前記外科手術用器具が、ステープラーである、請求項７に記載のシステム。
【請求項９】
前記組織に対する圧縮力およびひずみのうちの少なくとも１つが、前記所定のレベルの圧縮力またはひずみにおよそ等しい場合に、前記ステープラーからステープルが発射されるように構成されている、請求項８に記載のシステム。
【請求項１０】
前記ギャップ決定要素が、スライド電位差計、回転電位差計、リニアバリアブル差動変圧器、磁気抵抗素子、容量性素子、電磁誘導センサ、ホール効果センサ、および光学ベースのセンサからなる群より選択される、請求項９に記載のシステム。
【請求項１１】
前記組織接触決定要素が、圧力センサ、電気接点および感知回路、力変換基、圧電素子、ピエゾ抵抗素子、金属箔ひずみゲージ、半導体ひずみゲージ、誘導性圧力センサ、容量性圧力センサ、ならびに電位差圧力変換器からなる群より選択される、請求項１０に記載のシステム。
【請求項１２】
前記プロセッサが、組織に対して付与される張力をモニタリングするように構成されている、請求項１に記載のシステム。
【発明の詳細な説明】
【技術分野】
【０００１】
（関連出願の引用）
本願は、２００５年６月３日に出願された、米国仮特許出願番号６０／６８７，２４３、および２００５年６月３日に出願された、米国仮特許出願番号６０／６８７，２１４の利益および優先権を主張し、これらの仮特許出願の各々の全内容は、本明細書中に参考として援用される。
【０００２】
（背景）
（技術分野）
本開示は、外科用器具に関し、そしてより特定すると、機械的外科手術用器具およびシステム、電気機械的外科手術用器具およびシステム、ならびにエネルギーベースの外科手術用器具およびシステムに関する。
【背景技術】
【０００３】
（関連技術の背景）
開胸外科手術および最小侵襲性外科手術において使用される、外科手術用器具は、それらが条件および／またはパラメータ、ならびに効果的な手術のために重要な要因を、感知および／または制御する能力が、制限されている。例えば、従来の外科手術用器具は、この外科手術用器具のエンドエフェクタの組織接触表面間に位置決めされた組織の量、これらの組織に対して付与されるクランプ力、併置された組織接触表面の間の距離、および／またはこれらの表面の間にクランプされた組織の生存性を、測定可能に検出し得ない。
【発明の概要】
【発明が解決しようとする課題】
【０００４】
従って、標的外科手術部位における複数のパラメータおよび要因（例えば、外科手術用器具の併置された組織接触表面の間の距離、外科手術用器具のエンドエフェクタの組織接触表面の間に位置決めされた組織の量、組織に対して付与されるクランプ力、および／または表面の間にクランプされた組織の生存性）を感知し得る、外科手術用の器具および／またはシステムに対する必要性が存在する。
【０００５】
標的手術部位において感知および／または測定される状態に従って、外科手術用の器具および／またはシステムの組織接触表面の位置を利用し得、表示し得、記録し得、そして／または自動的に制御し得、外科手術用の器具および／またはシステムの操作の前に外科医に警告し得、そして／あるいは外科手術用の器具および／またはシステムを作動させ得る、外科手術用の器具および／またはシステムに対する必要性が存在する。
【課題を解決するための手段】
【０００６】
本発明は、以下を提供する：
（項目１）
組織を手術するための外科手術用器具であって、該外科手術用器具は、以下：
エンドエフェクタであって、該エンドエフェクタは、第一の組織係合部材、および該第一の組織係合部材に併置された関係の第二の組織係合部材を備える、エンドエフェクタ；
ギャップ決定要素であって、該ギャップ決定要素は、該第一の組織係合部材および該第二の組織係合部材の各々と作動可能に結びついており、該第一の組織係合部材と該第二の組織係合部材との間のギャップ距離を測定するためのものである、ギャップ決定要素；ならびに
組織接触決定要素であって、該組織接触決定要素は、該第一の組織係合部材および該第二の組織係合部材のうちの少なくとも一方の、それぞれの組織接触表面と作動可能に結びついている、組織接触決定要素、
を備える、外科手術用器具。
（項目２）
前記ギャップ決定要素と前記組織接触決定要素の各々とに、作動可能に接続されたプロセッサをさらに備える、項目１に記載の外科手術用器具。
（項目３）
前記第一の組織係合要素および前記第二の組織係合要素の各々が、該組織係合要素の組織接触表面上に支持された、少なくとも１つの組織接触決定要素を備える、項目２に記載の外科手術用器具。
（項目４）
前記ギャップ決定要素が、スライド電位差計、回転電位差計、リニアバリアブル差動変圧器、磁気抵抗素子、容量性素子、電磁誘導センサ、ホール効果センサ、および光学ベースのセンサからなる群より選択される、項目１に記載の外科手術用器具。
（項目５）
前記組織接触決定要素が、圧力センサ、電気接点および感知回路、力変換器、圧電素子、ピエゾ抵抗素子、金属箔ひずみゲージ、半導体ひずみゲージ、誘導性圧力センサ、容量性圧力センサ、ならびに電位差圧力変換器からなる群より選択される、項目１に記載の外科手術用器具。
（項目６）
前記外科手術用器具が、ステープラーである、項目１に記載の外科手術用器具。
（項目７）
プロセッサをさらに備え、該プロセッサは、前記ギャップ決定要素および前記組織接触決定要素の各々に作動可能に接続されている、項目６に記載の外科手術用器具。
（項目８）
前記第一の組織係合要素および前記第二の組織係合要素の各々が、該組織係合要素の組織接触表面上に支持された、少なくとも１つの組織接触決定要素を備える、項目７に記載の外科手術用器具。
（項目９）
前記ギャップ決定要素が、スライド電位差計、回転電位差計、リニアバリアブル差動変圧器、磁気抵抗素子、容量性素子、電磁誘導センサ、ホール効果センサ、および光学ベースのセンサからなる群より選択される、項目６に記載の外科手術用器具。
（項目１０）
前記組織接触決定要素が、圧力センサ、電気接点および感知回路、力変換基、圧電素子、ピエゾ抵抗素子、金属箔ひずみゲージ、半導体ひずみゲージ、誘導性圧力センサ、容量性圧力センサ、ならびに電位差圧力変換器からなる群より選択される、項目６に記載の外科手術用器具。
（項目１１）
前記第一の組織係合要素と前記第二の組織係合要素との間に組織が位置決めされる場合、ならびに該第一の組織係合組織および該第二の組織係合要素の組織接触表面が該組織に接触する場合に、前記組織接触決定要素が、前記プロセッサに信号を伝達する、項目８に記載の外科手術用器具。
（項目１２）
前記第一の組織係合要素および前記第二の組織係合要素の各々の組織接触表面が前記組織に接触する場合に、前記プロセッサに伝達される信号が、初期組織厚さである、項目１１に記載の外科手術用器具。
（項目１３）
前記プロセッサが、前記第一の組織係合部材と前記第二の組織係合部材との間で前記組織が圧縮される場合の該組織に対する圧縮力およびひずみのうちの少なくとも１つをモニタリングするように構成されている、項目１２に記載の外科手術用器具。
（項目１４）
前記組織に対する圧縮力およびひずみのうちの少なくとも１つが、所定のレベルの圧縮またはひずみに達した場合に、前記プロセッサが、信号を活性化させるように構成されている、項目１３に記載の外科手術用器具。
（項目１５）
前記組織に対する所定のレベルの圧縮またはひずみが、データ参照テーブルに維持される、項目１４に記載の外科手術用器具。
（項目１６）
前記データ参照テーブルが、多数の組織型についての所定のレベルの圧縮またはひずみを含む、項目１５に記載の外科手術用器具。
（項目１７）
前記所定のレベルの圧縮またはひずみが、前記初期組織厚さの百分率である、項目１４に記載の外科手術用器具。
（項目１８）
前記第一の組織係合部材の表面に提供された少なくとも１つの第一の力測定センサ、および前記第二の組織係合部材に提供された少なくとも１つの第二の力測定センサをさらに備え、該第一の力測定センサの各々は、該第一の組織係合部材の外側表面から外向きの方向に配向しており、そして該第二の力測定センサの各々は、該第二の組織係合部材の外側表面から外向きの方向で配向している、項目１に記載の外科手術用器具。
（項目１９）
前記第一の力測定センサおよび第二の力測定センサの各々が、該センサに対する組織圧力の結果として、該センサに作用する力を測定するように機能する、項目１８に記載の外科手術用器具。
（項目２０）
前記第一の力測定センサおよび第二の力測定センサの各々に作動可能に接続された、ゲージをさらに備える、項目１８に記載の外科手術用器具。
（項目２１）
組織に対して外科手術手順を実施するためのシステムであって、該システムは、以下：
外科手術用器具であって、該外科手術用器具は、エンドエフェクタを備え、該エンドエフェクタは、第一の組織係合部材、および該第一の組織係合部材に併置された関係の第二の組織係合部材を備える、外科手術用器具；
該第一の組織係合部材と該第二の組織係合部材との間の初期の距離を、初期組織厚さとして記録するための手段；ならびに
該組織に対する圧縮力およびひずみのうちの少なくとも１つをモニタリングするための手段；
を備え、
該第一の組織係合部材および該第二の組織係合部材は、該組織の反対側に位置決めされるように構成されており；
該第一の組織係合部材および該第二の組織係合部材は、組織接触決定要素が係合するまで接近されるように構成されており；
該第一の組織係合部材および該第二の組織係合部材は、さらに接近されて、該組織係合部材の間の組織を圧縮するように構成されており；
該器具は、該組織に対する圧縮力およびひずみのうちの少なくとも一方が所定のレベルに達した場合に、該第一の組織係合部材と該第二の組織係合部材との接近をやめるように構成されている、
システム。
（項目２２）
前記外科手術用器具が、以下：
ギャップ決定要素であって、該ギャップ決定要素は、前記第一の組織係合部材および前記第二の組織係合部材の各々に作動可能に結びついており、該第一の組織係合部材と該第二の組織係合部材との間のギャップ距離を測定するものである、ギャップ決定要素；ならびに
組織接触決定要素であって、該組織接触決定要素は、該第一の組織係合部材および該第二の組織係合部材のうちの少なくとも一方のそれぞれの組織接触表面に作動可能に結びついている、組織接触決定要素、
を備える、項目２１に記載のシステム。
（項目２３）
前記外科手術用器具が、プロセッサをさらに備え、該プロセッサは、前記ギャップ決定要素および組織接触決定要素の各々に作動可能に接続されている、項目２２に記載のシステム。
（項目２４）
前記第一の組織係合部材および前記第二の組織係合部材が前記組織に接触すると、前記組織接触決定要素は、前記プロセッサに信号を伝達する、項目２３に記載のシステム。
（項目２５）
前記ギャップ決定要素は、前記プロセッサに、前記第一の組織係合部材と前記第二の組織係合部材との間の距離に関する信号を伝達する、項目２４に記載のシステム。
（項目２６）
前記第一の組織係合部材と前記第二の組織係合部材との間の距離の減少の結果として、前記組織に対する圧縮力およびひずみのうちの少なくとも１つが決定される、項目２５に記載のシステム。
（項目２７）
前記組織に対する圧縮力およびひずみのうちの少なくとも１つが、所定のレベルの圧縮またはひずみに達した場合に、指標が作動される、項目２６に記載のシステム。
（項目２８）
前記組織の圧縮の前に、前記組織についての所定のレベルの圧縮またはひずみが設定され得る、項目２７に記載のシステム。
（項目２９）
前記外科手術用器具が、ステープラーである、項目２８に記載のシステム。
（項目３０）
前記組織に対する圧縮力およびひずみのうちの少なくとも１つが、前記所定のレベルの圧縮力またはひずみにおよそ等しい場合に、前記外科手術用ステープラーが発射される、項目２９に記載のシステム。
（項目３１）
前記ギャップ決定要素が、スライド電位差計、回転電位差計、リニアバリアブル差動変圧器、磁気抵抗素子、容量性素子、電磁誘導センサ、ホール効果センサ、および光学ベースのセンサからなる群より選択される、項目３０に記載のシステム。
（項目３２）
前記組織接触決定要素が、圧力センサ、電気接点および感知回路、力変換基、圧電素子、ピエゾ抵抗素子、金属箔ひずみゲージ、半導体ひずみゲージ、誘導性圧力センサ、容量性圧力センサ、ならびに電位差圧力変換器からなる群より選択される、項目３１に記載のシステム。
（項目３３）
前記組織に対して付与される張力をモニタリングするための手段をさらに包含する、項目２１に記載のシステム。
（項目３４）
組織に対して外科手術手順を実施する方法であって、該方法は、以下：
外科手術用器具を提供する工程であって、該外科手術用器具は、エンドエフェクタを備え、該エンドエフェクタは、第一の組織係合部材、および該第一の組織係合部材に併置された関係の第二の組織係合部材を備える、工程；
該第一の組織係合部材および該第二の組織係合部材を、該組織の反対側に位置決めする工程；
組織接触決定要素が係合するまで、該第一の組織係合部材および該第二の組織係合部材を接近させる工程；
該第一の組織係合部材と該第二の組織係合部材との間の初期の距離を、初期組織厚さとして記録する工程；
該第一の組織係合部材および該第二の組織係合部材をさらに接近させて、該組織係合部材の間の組織を圧縮する工程；
該組織に対する圧縮力およびひずみのうちの少なくとも１つをモニタリングする工程；ならびに
該組織に対する圧縮力およびひずみのうちの少なくとも一方が、所定のレベルに達した場合に、該第一の組織係合部材と該第二の組織係合部材との接近をやめる工程、
を包含する、方法。
（項目３５）
前記外科手術用器具が、以下：
ギャップ決定要素であって、該ギャップ決定要素は、前記第一の組織係合部材および前記第二の組織係合部材の各々に作動可能に結びついており、該第一の組織係合部材と該第二の組織係合部材との間のギャップ距離を測定するものである、ギャップ決定要素；ならびに
組織接触決定要素であって、該組織接触決定要素は、該第一の組織係合部材および該第二の組織係合部材のうちの少なくとも一方のそれぞれの組織接触表面に作動可能に結びついている、組織接触決定要素、
を備える、項目３４に記載の方法。
（項目３６）
前記外科手術用器具が、プロセッサをさらに備え、該プロセッサは、前記ギャップ決定要素および組織接触決定要素の各々に作動可能に接続されている、項目３５に記載の方法。
（項目３７）
前記第一の組織係合部材および前記第二の組織係合部材が前記組織に接触すると、前記組織接触決定要素は、前記プロセッサに信号を伝達する、項目３６に記載の方法。
（項目３８）
前記ギャップ決定要素は、前記プロセッサに、前記第一の組織係合部材と前記第二の組織係合部材との間の距離に関する信号を伝達する、項目３７に記載の方法。
（項目３９）
前記第一の組織係合部材と前記第二の組織係合部材との間の距離の減少の結果として、前記組織に対する圧縮力およびひずみのうちの少なくとも１つを決定する工程をさらに包含する、項目３８に記載の方法。
（項目４０）
前記組織に対する圧縮力およびひずみのうちの少なくとも１つが、所定のレベルの圧縮またはひずみに達した場合に、指標を作動させる工程をさらに包含する、項目３９に記載の方法。
（項目４１）
前記組織の圧縮の前に、前記組織についての所定のレベルの圧縮またはひずみを設定する工程をさらに包含する、項目４０に記載の方法。
（項目４２）
前記外科手術用器具が、ステープラーである、項目４１に記載の方法。
（項目４３）
前記組織に対する圧縮力およびひずみのうちの少なくとも１つが、前記所定のレベルの圧縮力またはひずみにおよそ等しい場合に、前記外科手術用ステープラーを発射する工程をさらに包含する、項目４２に記載の方法。
（項目４４）
前記ギャップ決定要素が、スライド電位差計、回転電位差計、リニアバリアブル差動変圧器、磁気抵抗素子、容量性素子、電磁誘導センサ、ホール効果センサ、および光学ベースのセンサからなる群より選択される、項目４３に記載の方法。
（項目４５）
前記組織接触決定要素が、圧力センサ、電気接点および感知回路、力変換基、圧電素子、ピエゾ抵抗素子、金属箔ひずみゲージ、半導体ひずみゲージ、誘導性圧力センサ、容量性圧力センサ、ならびに電位差圧力変換器からなる群より選択される、項目４４に記載の方法。
（項目４６）
前記組織に対して付与される張力をモニタリングする工程をさらに包含する、項目３４に記載の方法。
【０００７】
（要旨）
本開示の局面によれば、組織を手術するための外科手術用器具が提供される。この外科手術用器具は、エンドエフェクタ、ギャップ決定要素、および組織接触決定要素を備え、このエンドエフェクタは、第一の組織係合部材、およびこの第一の組織係合部材に併置された関係の第二の組織係合部材を備え、このギャップ決定要素は、この第一の組織係合部材とこの第二の組織係合部材との間のギャップ距離を測定するために、この第一の組織係合部材およびこの第二の組織係合部材の各々に作動可能に結びつき、そしてこの組織接触決定要素は、この第一の組織係合部材およびこの第二の組織係合部材のうちの少なくとも一方の、それぞれの組織接触表面と作動可能に結びついている。
【０００８】
この外科手術用器具は、プロセッサをさらに備え得、このプロセッサは、ギャップ決定要素および組織接触決定要素の各々に、作動可能に接続されている。第一の組織係合要素および第二の組織係合要素の各々は、その組織接触表面上に支持された、少なくとも１つの組織接触決定要素を備える。
【０００９】
このギャップ決定要素は、スライド電位差計、回転電位差計、リニアバリアブル差動変圧器、磁気抵抗素子、容量性素子、電磁誘導センサ、ホール効果センサ、および光学ベースのセンサからなる群より選択され得る。
【００１０】
この組織接触決定要素は、圧力センサ、電気接点および感知回路、力変換器、圧電素子、ピエゾ抵抗素子、金属箔ひずみゲージ、半導体ひずみゲージ、誘導性圧力センサ、容量性圧力センサ、ならびに電位差圧力変換器からなる群より選択され得る。
【００１１】
上記外科手術用器具は、ステープラーであり得る。
【００１２】
上記組織接触決定要素は、組織が第一の組織係合要素と第二の組織係合要素との間に位置決めされた場合、ならびにこの第一の組織係合要素および第二の組織係合要素の組織接触表面の各々が組織に接触する場合に、プロセッサに信号を伝達し得る。第一の組織係合要素および第二の組織係合要素の各々の組織接触表面が組織に接触する場合に、プロセッサに伝達される信号は、初期組織厚さであり得る。
【００１３】
このプロセッサは、組織が第一の組織係合部材と第二の組織係合部材との間で圧縮される際の、この組織に対する圧縮力およびひずみのうちの少なくとも１つをモニタリングするように構成され得る。このプロセッサは、この組織に対する圧縮力およびひずみのうちの少なくとも１つが、所定のレベルの圧縮またはひずみに達する場合に、信号を活性化させるように構成され得る。このプロセッサはまた、組織接触決定要素が、第一の組織および第二の組織のうちの少なくとも１つに係合する場合に、信号を活性化させるように構成され得る。
【００１４】
組織に対する所定のレベルの圧縮またはひずみは、データ参照用テーブルに維持される。このデータ参照用テーブルは、多数の組織型についての所定のレベルの圧縮またはひずみを含み得る。所定のレベルの圧縮またはひずみは、初期組織厚さの百分率であり得る。
【００１５】
本開示の別の局面によれば、組織に対して外科手術手順を実施する方法が提供される。この方法は、外科手術用器具を提供する工程であって、この器具は、エンドエフェクタを備え、このエンドエフェクタは、第一の組織係合部材、およびこの第一の組織係合部材に併置された関係の第二の組織係合部材を備える、工程；第一の組織係合部材および第二の組織係合部材を、組織の反対側に位置決めする工程；組織接触決定要素が係合するまで、第一の組織係合部材および第二の組織係合部材を接近させる工程；第一の組織係合部材と第二の組織係合部材との間の初期の距離を、初期組織厚さとして記録する工程；第一の組織係合部材および第二の組織係合部材をさらに接近させて、これらの係合部材の間の組織を圧縮する工程；この組織に対する圧縮力またはひずみのうちの少なくとも１つをモニタリングする工程；ならびにこの組織に対する圧縮力およびひずみのうちの少なくとも１つが所定のレベルに達した場合に、第一の組織係合部材と第二の組織係合部材との接近をやめる工程、を包含する。
【００１６】
この外科用器具は、ギャップ決定要素および組織接触決定要素を備え得、このギャップ決定要素は、第一の組織係合部材および第二の組織係合部材の各々に作動可能に結びつき、第一の組織係合部材と第二の組織係合部材との間のギャップ距離を測定するためのものであり、そしてこの組織接触決定要素は、第一の組織係合部材および第二の組織係合部材のうちの少なくとも一方のそれぞれの組織接触表面と作動可能に結び付けられる。
【００１７】
この外科手術用器具は、プロセッサをさらに備え得、このプロセッサは、ギャップ決定要素および組織接触決定要素の各々に、作動可能に接続される。この組織接触決定要素は、第一の組織係合部材および第二の組織係合部材が組織と接触する場合に、このプロセッサに信号を伝達し得る。このギャップ決定要素は、第一の組織係合部材と第二の組織係合部材との間の距離に関する信号を、このプロセッサに伝達し得る。
【００１８】
この方法は、第一の組織係合部材と第二の組織係合部材との間の距離の減少の結果として、組織に対する圧縮力およびひずみのうちの少なくとも１つを決定する工程をさらに包含し得る。
【００１９】
この方法は、組織に対する圧縮力およびひずみのうちの少なくとも１つが、所定のレベルの圧縮またはひずみに達した場合に、指標を作動させる工程をさらに包含し得る。この方法は、組織の圧縮の前に、この組織についての所定のレベルの圧縮またはひずみを設定する工程を、なおさらに包含し得る。
【００２０】
上記外科用器具は、ステープラーであり得る。
【００２１】
上記方法は、組織に対する圧縮力およびひずみのうちの少なくとも１つが、所定のレベルの圧縮またはひずみにおよそ等しい場合に、この外科用ステープラーを発射させる工程をさらに包含し得る。
【００２２】
添付の図面は、本明細書に含まれ、そして本明細書の一部を構成し、本開示の実施形態を説明し、そして以下に与えられる実施形態の詳細な説明と一緒に、本開示の原理を説明するために役立つ。
【発明の効果】
【００２３】
標的外科手術部位における複数のパラメータおよび要因（例えば、外科手術用器具の併置された組織接触表面の間の距離、外科手術用器具のエンドエフェクタの組織接触表面の間に位置決めされた組織の量、組織に対して付与されるクランプ力、および／または表面の間にクランプされた組織の生存性）を感知し得る、外科手術用の器具および／またはシステムが提供される。
【００２４】
標的手術部位において感知および／または測定される状態に従って、外科手術用の器具および／またはシステムの組織接触表面の位置を利用し得、表示し得、記録し得、そして／または自動的に制御し得、外科手術用の器具および／またはシステムの操作の前に外科医に警告し得、そして／あるいは外科手術用の器具および／またはシステムを作動させ得る、外科手術用の器具および／またはシステムが提供される。
【図面の簡単な説明】
【００２５】
【図１】図１は、本開示の実施形態に従う外科手術用器具の斜視図である。
【図２】図２は、図１の示された領域の細部の、部分的に切り取られた拡大斜視図である。
【図３】図３は、図２の断面線３−３に沿って見た場合の概略断面図である。
【図３Ａ】図３Ａは、本開示の代替の実施形態を図示する、図２の断面線３−３に沿って見た場合の概略断面図である。
【図４】図４は、第一の状態で示される、図１の外科手術用器具の側面長手軸方向断面図である。
【図４Ａ】図４Ａは、第一の状態で示される、図１の外科手術用器具の位置センサの拡大概略図である。
【図５】図５は、第二の状態で示される、図１の外科手術用器具の側面長手軸方向断面図である。
【図５Ａ】図５Ａは、第二の状態で示される、図１の外科手術用器具の位置センサの拡大概略図である。
【図６】図６は、第三の状態で示される、図１の外科手術用器具の側面長手軸方向断面図である。
【図６Ａ】図６Ａは、第三の状態で示される、図１の外科手術用器具の位置センサの拡大概略図である。
【図７】図７は本開示の別の実施形態による、外科手術用器具の斜視図である。
【図８】図８は、ハンドルセクションが取り外された、図７の外科手術用器具のハンドルアセンブリの頂部の上面斜視図である。
【図９】図９は、第一の状態で示される、図７および図８の外科手術用器具の遠位端の側面断面図である。
【図１０】図１０は、第二の状態で示される、図７および図８の外科手術用器具の遠位端の側面断面図である。
【図１１】図１１は、第三の状態で示される、図７および図８の外科手術用器具の遠位端の側面断面図である。
【図１１Ａ】図１１Ａは、プランジャセンサの作動を図示する、図７および図８の外科手術用器具の遠位端の側面断面図である。
【図１２】図１２は、本開示のなお別の実施形態による外科手術用器具の斜視図である。
【図１３】図１３は、長手方向軸に沿って見た、図１２の外科手術用器具の側面断面図であり、カートリッジ受容半セクションとアンビル半セクションとの連結を図示する。
【図１４】図１４は、閉じた発射前状態で示される、長手方向軸に沿って見た、図１２および図１３の外科手術用器具の側面断面図である。
【図１５】図１５は、本開示のなお別の実施形態による、外科手術用器具の斜視図である。
【図１６】図１６は、第一の接近されていない状態で示される、図１５の外科手術用器具の側面断面図である。
【図１７】図１７は、第一の接近されていない状態で示される、図１５および図１６の外科手術用器具のツールアセンブリの拡大側面断面図である。
【図１８】図１８は、第二の接近された状態で示される、図１５および図１６の外科手術用器具のツールアセンブリの拡大側面断面図である。
【図１９】図１９は、発射行程の完了後の、図１５および図１６の外科手術用器具のツールアセンブリの拡大側面断面図である。
【図２０】図２０は、間隔を空けた１対の接触プレートの組織との接触の際の回路の完了を示す、組織接触回路の概略図である。
【発明を実施するための形態】
【００２６】
（実施形態の詳細な説明）
本開示の外科手術用の器具およびシステムの好ましい実施形態が、図面を参照してここで詳細に記載される。図面において、同じ参照番号は、類似かまたは同一の要素を識別する。本明細書中で使用される場合、伝統的であるように、用語「遠位」とは、使用者から遠い方の部分をいい、一方で、用語「近位」とは、使用者に近い方の部分をいう。
【００２７】
本開示の実施形態に従う外科手術用器具が、図１〜６Ａにおいて、一般的に、１０として示される。外科手術用器具１０は、静止ハンドル１４を規定する本外１２、旋回可能なトリガ１６、細長い中心本体部分１８、およびエンドエフェクタを備え、このエンドエフェクタは、第一の部材またはカートリッジアセンブリ２０、および第二の部材またはアンビルアセンブリ２２を備える。親指ボタン２４が、本体１２の各側にスライド可能に位置決めされる。親指ボタン２４は、整列ピンアセンブリ（図示せず）を手動で進めるために、移動可能である。解放ボタン１５０が、本体１２の近位端に位置決めされ、そしてカートリッジアセンブリ２０が、アンビルアセンブリ２２に隣接して配置された接近位置から、アンビルアセンブリ２２から間隔を空けた位置（図示せず）へと戻ることを可能にするように、押下可能である。
【００２８】
図２を参照すると、外科手術用ステープリング器具１０は、１対のクランプスライド部材６６ａおよび６６ｂ、クランプスライド部材６６ａと６６ｂとの間でスライド可能に介在する整列ピンプッシャー６８、および整列ピンプッシャー６８とクランプスライド部材６６ｂとの間でスライド可能に介在するスラストバー７０を備える。クランプスライド部材６６ａおよび６６ｂ、整列ピンプッシャー６８ならびにスラストバー７０は、接近行程および／または発射行程を介するトリガ１６の移動に応答して、引き込まれた位置と進められた位置との間で移動するために、フレーム部材２８ａと２８ｂとの間でスライド可能に支持される。
【００２９】
図１および図２に見られるように、ギャップ測定要素またはデバイス５０が、フレーム部材２８ｂ上に作動可能に支持される。具体的には、ギャップ測定デバイス５０は、フレーム部材２８ｂに固定される。ギャップ測定デバイス５０は、外科手術手順の間、カートリッジアセンブリ２０とアンビルアセンブリ２２との間の距離を測定し、そしてこの距離を使用者に知らせるように、構成および適合される。
【００３０】
ギャップ測定デバイス５０は、例えば、スライド電位差計、回転電圧計（図３Ａを参照のこと）などであり得る。図３に最もよく見られるように、ギャップ測定デバイス５０は、フレーム部材２８ｂの表面に固定された本体部分５２、およびワイパー５４を備える。このワイパーは、フレーム部材２８ｂに形成された細長スロット２９を通って延び、クランプスライド部材６６ｂに作動可能に接続される。ワイパー５４は、本体部分５２内にスライド可能に支持され、その結果、ワイパー５４が本体部分５２の長さに沿って（両頭矢印「Ｂ」の方向に）移動するにつれて、異なるインピーダンスが発生し、従って、異なる電流（または電圧）が、制御ユニット（図示せず）に伝達され得る。ワイパー５４は、望ましくは、クランプスライド部材６６ｂにしっかりと接続される。この様式で、クランプスライド部材６６ｂがフレーム部材２８ｂに対して軸方向に移動するにつれて、ワイパー５４は、本体部分５２に対して軸方向に移動し、これによって、ギャップ測定デバイス５０のインピーダンス値を変更および／または変化させる。
【００３１】
図３Ａに見られるように、ギャップ測定デバイス５０は、フレーム部材２８ｂに作動可能に支持された歯車またはピニオン５４ａ、およびクランプスライド部材６６ｂの内部表面に形成されたかまたは支持されるラック５２ｂなどを備える、回転電位差系の形態であり得、ここで、ピニオン５４ｂは、ラック５２ｂと作動可能に係合している。作動の際に、クランプスライド部材６６ｂが、フレーム部材２８ｂに対して近位または遠位に移動するにつれて、ラック５２ｂは、ピニオン５４ｂを、時計回りまたは反時計回りに回転させ、これによって、電流または電圧を変動させる。
【００３２】
外科手術用器具１０の作動を、ここで図４〜６Ａを参照して記載する。外科手術用器具１０の種々の構成要素の動きは、参照される図において位置決めされる器具を見る人に有利な位置から記載されることを示す。
【００３３】
図４および図４Ａは、使用前の外科手術用器具１０を図示する。図示されるように、カートリッジアセンブリ６０およびアンビルアセンブリ６２は、間隔を空けられた関係にあり、トリガ１６は、圧縮されていない位置にあり、そしてクランプスライド６６ａおよび６６ｂならびにスラストバー７０は、引き込まれた位置にある。クランプスライド６６ｂが引き込まれた位置にある場合、ギャップ測定デバイス５０のワイパー５４は、フレーム部材２８ｂのスロット２９の内部で、後方に位置する。ギャップ測定デバイス５０のワイパー５４が引き込まれた位置にある状態で、独特の電圧が発生し、そしてプロセッサ（図示せず）によって測定される。この電圧は、このプロセッサに、カートリッジアセンブリ６０およびアンビルアセンブリ６２が互いに間隔を空けた関係にあることを示す。
【００３４】
図５および図５Ａは、トリガ１６の接近行程の間の外科手術用器具１０を図示する。図示されるように、トリガ１６は、矢印「Ａ」によって示される方向に移動されて、前方リンク１１２を前方に効果的に移動させ、そしてクランプスライド６６ａおよび６６ｂを、ピン８８を通して前方に移動させる。図５Ａに示されるように、クランプスライド６６ｂが前方に移動されるにつれて、ギャップ測定デバイス５０のワイパー５４もまた、本体部分５２に対して前方に移動され、これによって、ギャップ測定デバイス５０によって発生する電圧を変動させる。ギャップ測定デバイス５０のワイパー５４が、本体部分５２に対して前方に移動し、これによって、発生してプロセッサによって測定される電圧が変動するにつれて、カートリッジアセンブリ２０とアンビルアセンブリ２２との間の距離が決定され得る。
【００３５】
図６および図６Ａは、トリガ１６が圧縮された位置にある、完全に接近された位置の外科手術用器具１０を図示する。図示されるように、トリガ１６は、完全に接近されており、これによって、クランプスライド６６ａおよび６６ｂを完全に進め、その結果、カートリッジアセンブリ２０およびアンビルアセンブリ２２は、接近した位置にある。それに付随して、ギャップ測定デバイス５０のワイパー５４が、フレーム部材２８ｂのスロット２９内の最も前方の位置まで進められる。ギャップ測定デバイス５０のワイパー５４が最も遠位にある状態で、独特の電圧が発生し、そしてプロセッサによって測定される。この電圧は、このプロセッサに、カートリッジアセンブリ２０およびアンビルアセンブリ２２が接近した位置にあることを示す。
【００３６】
ここで図１および図４〜６Ａを参照すると、外科手術用器具１０は、複数の接触センサ６０を備え、これらのセンサは、カートリッジアセンブリ２０およびアンビルアセンブリ２２の各々の組織接触表面の長さに沿って配置される。接触センサ６０は、プロセッサまたはＣＰＵに接続され、そして物体（例えば、組織）が、いつカートリッジアセンブリ２０とアンビルアセンブリ２２との間に位置してこれらのアセンブリと接触するかに関する指標を提供する。接触センサ６０は、カートリッジアセンブリ２０とアンビルアセンブリ２２との間に介在する組織の初期厚さを決定するように機能する。この初期組織厚さは、参照の０点を規定する。
【００３７】
操作の方法に従って、カートリッジアセンブリ２０およびアンビルアセンブリ２２が互いに間隔を空けた関係にある状態で、標的組織は、これらのアセンブリの間に配置される。標的組織が、カートリッジアセンブリ２０とアンビルアセンブリ２２との間に位置している状態で、標的組織が接触センサ６０と接触するまで、カートリッジアセンブリ２０およびアンビルアセンブリ２２は、互いの方へと接近される。この時点で、カートリッジアセンブリ２０とアンビルアセンブリ２２との間の距離が測定および／または記録される。カートリッジアセンブリ２０とアンビルアセンブリ２２との間のこの初期距離は、組織の初期厚さまたは参照の０点として記録される。カートリッジアセンブリ２０とアンビルアセンブリ２２との間の接触距離、または初期組織厚さが記録されると、カートリッジアセンブリ２０およびアンビルアセンブリ２２は、カートリッジアセンブリ２０とアンビルアセンブリ２２との間の所望のギャップが得られるまで、さらに接近される。一旦、カートリッジアセンブリ２０とアンビルアセンブリ２２との間の所望のギャップが達成されると、この距離は、圧縮された組織厚さとして記録される。
【００３８】
あるいは、組織の初期厚さの決定に続いて、組織の圧縮および／またはひずみについての所定の値が、プロセッサまたはＣＰＵに設定され得る。この圧縮および／またはひずみの所定の値は、圧縮される特定の組織についてのデータ参照用テーブルなどから得られ得る。従って、カートリッジアセンブリ２０およびアンビルアセンブリ２２が互いの方へと接近され、これによってこれらのアセンブリの間のギャップが減少するにつれて、組織の圧縮および／またはひずみは、この組織の圧縮および／またはひずみが所定の値に達するまで、連続的にモニタリングされる。このような時点で、センサの指標（例えば、光、音など）が作動されて、圧縮および／またはひずみの所定の値が達成されたことを、使用者に知らせる。
【００３９】
本開示により、組織に対する過剰量の圧縮またはひずみが、認容可能な止血および／または組織癒合を達成するためには血流が不十分な組織を生じ得ることが発見された。組織への不十分な血液の流れは、組織の壊死などを引き起こし得る。さらに、組織に対する不十分な量の圧縮またはひずみは、認容可能な止血および／または組織の癒合を達成するためには血流が多すぎる組織を生じ得ることが発見された。組織への多すぎる血流は、組織の「出血」を引き起こし得る。
【００４０】
組織の記録される圧縮またはひずみは、既存の記録、または異なる組織について認容可能な組織の圧縮および／もしくはひずみのデータ参照用テーブルと比較される。カートリッジアセンブリ２０とアンビルアセンブリ２２との間のギャップは、その組織に対する圧縮および／またはひずみが認容可能な範囲内になるまで、調節される。
【００４１】
一旦、組織に対する所望のひずみが達成されると、外科手術用器具１０は、万能型ステープル、またはステープルの間にクランプされる組織の厚さのために適切な大きさにされたステープルを使用して、発射される。この組織に対するひずみは、初期組織厚さ／圧縮された組織厚さに基づく公知の式を使用して決定される。組織に対するひずみの決定のより詳細な議論について、２００６年４月２１日に出願された、米国出願番号１１／４０９，１５４が参照され得、その全内容が、本明細書中に参考として援用される。
【００４２】
外科手術用器具１０の構造および作動のより詳細な議論について、米国特許第６，８１７，５０８号が参照され得、その全内容が、本明細書中に参考として援用される。
【００４３】
ここで図７〜１１を参照すると、本開示の別の実施形態による外科手術用器具が、一般に、１００として示される。図７に見られるように、外科手術用器具１００は、近位ハンドルアセンブリ１１２、湾曲した細長い外側管１１４ａを備える細長い中心本体１１４、および遠位ヘッド部分１１６を備える。あるいは、いくつかの外科手術手順（例えば、痔核の処置）において、実質的に真っ直ぐな、好ましくは短い中心本体部分を有することが望ましい。本体部分１１４およびヘッド部分１１６の長さ、形状および／または直径はまた、特定の外科手術手順に適合するように、変化され得る。
【００４４】
ハンドルアセンブリ１１２は、静止ハンドル１１８、発射トリガ１２０、回転可能な接近ノブ１２２および指標１２４を備える。静止ハンドル１１８は、ハンドルアセンブリ１１２の内部構成要素のためのハウジングを規定する。ハンドル部分１１２の内部構成要素は、以下で詳細に議論される。好ましくは、緩衝された部分および／または弾性の滑り止め部分（例えば、グリップ（図示せず））が、静止ハンドル１１８および発射トリガ１２０に固定され得るか、またはこれらの部品として備えられ得る。旋回するように設置されたトリガロック１２６が、ハンドルアセンブリ１１２に固定され、そして外科手術用器具１００の不注意な発射を防止するように、手動で位置決めされる。指標１２４は、静止ハンドル１１８上に位置決めされ、そして例えば、カラーコード、英数字の表示などの印を備え、このデバイスが接近されて発射の準備ができているか否かを、外科医に明らかにする。ヘッド部分１１６は、アンビルアセンブリ１３０およびシェルアセンブリ１３１を備える。これらのアセンブリの各々は、以下で詳細に議論される。
【００４５】
ここで図８を参照すると、ハンドルアセンブリ１１２の内部構成要素としては、接近および発射の機構の近位構成要素、発射ロックアウト機構、ならびに指標駆動機構が挙げられるが、これらに限定されない。
【００４６】
図８を参照すると、接近機構は、接近ノブ１２２、駆動ねじ１３２、回転可能なスリーブ１３３、およびアンビルアセンブリ１３０を支持するためのアンビル保持具１３８（図７を参照のこと）を備える。回転可能なスリーブ１３３は、実質的に円筒形の中空本体部分１４０、および実質的に円筒形のカラー１４２を備え、これらは、一緒になって、中心ボアを規定する。カラー１４２は、環状の溝１４４が周囲に形成されており、この溝は、ハンドルアセンブリ１１８の内壁に形成された、内向きに延びるフランジを受容するための寸法にされる。溝１４４とフランジとの間の係合は、スリーブ１３３をハンドルアセンブリ１１８の内部に軸方向に固定し、一方で、ハンドルアセンブリ１１８に対するスリーブ１３３の回転を可能にする。正反対の側に位置する１対の細長リブ１４８が、本体部分１４０の外側表面に位置決めまたは形成される。接近ノブ１２２は、１対の内部スロット（図示せず）を備え、これらのスロットは、スリーブ１３３のリブ１４８を受容して、スリーブ１３３をノブ１２２に回転可能に固定するように位置決めされ、これによって、ノブ１２２の回転は、スリーブ１３３の同時の回転を引き起こす。
【００４７】
ねじ１３２の近位の半分は、螺旋状のチャネル１５０を備え、そして回転可能なスリーブ１３３の中心ボア内にスライド可能に位置決めされるような寸法にされる。スリーブ１３３は、ハンドルアセンブリ１１８に対して軸方向に固定されているので、ねじ１３２の周りでのスリーブ１３３の回転は、ピン（図示せず）を、ねじ１３２のチャネル１５０に沿って移動させて、ハンドルアセンブリ１１８内でのねじ１３２の軸方向での移動を引き起こす。
【００４８】
操作において、接近ノブ１２２が手動で回転されると、回転可能なスリーブ１３３が、ねじ１３２の近位端の周りで回転して、ピンを、ねじ１３２の螺旋状のチャネル１５０に沿って移動させる。スリーブ１３３は、ハンドルアセンブリ１１８に対して軸方向に固定されているので、ピンがチャネル１５０を通って移動するにつれて、ねじ１３２は、ハンドルアセンブリ１１８内で進められるか、または引き込まれる。その結果、ねじ１３２の遠位端およびアンビル保持具１３８に固定された、上下のねじ延長部（図示せず）が、細長本体部分１１４の内部で軸方向に移動する。アンビルアセンブリ１３０は、アンビル保持具１３８の遠位端に固定されているので、接近ノブ１２２の回転は、間隔を空けた位置と接近位置との間での、シェルアセンブリ１３１に対するアンビルアセンブリ１３０の移動を引き起こす。
【００４９】
図８の参照を続けると、ＬＶＤＴ  １７０（リニアバリアブル差動変圧器）が、アンビルアセンブリ１３０とシェルアセンブリ１３１との間のギャップ距離を決定するために、ハンドルアセンブリ１１８内に提供される。具体的には、ＬＶＤＴ  １７０は、回転可能なスリーブ１３３の内部に配置されたコイル１７４を備え得、そして磁石コア１７２が、コイル１７４の内部に配置され得る。一般に、磁石コア１７２がカラー／ハンドルアセンブリ１８８を通って戻って移動するにつれて、磁石コア１７２は、コイル１７４に接近し／コイル１７４から離れ、そして電気的出力を発生させる。１つの実施形態において、磁石コア１７２は、表面または内部に磁石が支持されたねじを備え得る。
【００５０】
作動において、接近ノブ１２２が回転されて、アンビルアセンブリ１３０をシェルアセンブリ１３１の方へと接近させ、ＬＶＤＴ  １７０は、アンビルアセンブリ１３０の接触表面とシェルアセンブリ１３１の接触表面との間の距離を測定および決定するように機能する。
【００５１】
ここで図７および図９から１１を参照すると、外科手術用器具１００は、複数の接触センサ１６０、１６２を備え、これらのセンサは、シェルアセンブリ１３１およびアンビルアセンブリ１３０の各々の組織接触表面の長さに沿って、配置される。接触センサ１６０、１６２は、プロセッサまたはＣＰＵ（図１を参照のこと）に接続され、そして物体（例えば、組織）が、シェルアセンブリ１３１とアンビルアセンブリ１３０との間にいつ位置するかに関する指標を提供する。作動において、一旦、最初の接触が、接触センサ１６０、１６２と組織との間になされると、ＬＶＤＴ  １７０は、シェルアセンブリ１３１とアンビルアセンブリ１３０との間のギャップを決定および／または測定するために使用され得る。
【００５２】
図７および図９〜１１の参照を続けると、外科手術用器具１００は、アンビルアセンブリ１３０のヘッドの表面に提供される少なくとも１つの力測定センサ１６４、およびシェルアセンブリ１３１の外側表面に提供される少なくとも１つの力測定センサ１６６をさらに備え得、この力測定センサ１６４は、好ましくは、このアンビルアセンブリの外側リムから半径方向外向きの方向で配向される。各力測定センサ１６４、１６６は、以下でより詳細に議論されるように、組織がこれらのセンサを押し付ける結果として、これらのセンサに作用する力を測定するように機能する。
【００５３】
図７に見られるように、１つの実施形態において、外科手術用器具１００は、ゲージ１４０を備え、このゲージは、ハンドルアセンブリ１１２の静止ハンドル１１８上に支持される。各センサ１６０、１６２、１６４、１６６は、ゲージ１４０に作動可能に接続され得る。ゲージ１４０は、選択された作動パラメータ（例えば、組織接触、組織圧縮、組織張力など）を、リアルタイムで表示するように機能する。
【００５４】
作動において、（図９に見られるような）アンビルアセンブリ１３０への第一の組織「Ｔ１」の巾着縫合およびシェルアセンブリ１３１への第二の組織「Ｔ２」の巾着縫合に続いて、接近ノブ１２２が回転されて、アンビルアセンブリ１３０をシェルアセンブリ１３１の方へと接近させる。アンビルアセンブリ１３０およびシェルアセンブリ１３１が互いの方へと接近するにつれて、第一の組織「Ｔ１」および第二の組織「Ｔ２」が、互いの方へと伸長され、そして引っ張られる。第一の組織「Ｔ１」および第二の組織「Ｔ２」が引っ張られるにつれて、第一の組織「Ｔ１」および第二の組織「Ｔ２」は、それぞれアンビルアセンブリ１３０およびシェルアセンブリ１３１の周りで収縮する傾向がある。この収縮により、各それぞれの力測定センサ１６４、１６６に力が付与される。各力測定センサ１６４、１６６によって測定される力は、公知のアルゴリズムを使用して、各組織「Ｔ１」、「Ｔ２」に付与される張力の値に変換され得る。
【００５５】
外科手術による吻合手順の間、第一の組織「Ｔ１」および第二の組織「Ｔ２」に付与される張力を所定の閾値レベル以下に維持しようとして、第一の組織「Ｔ１」および第二の組織「Ｔ２」に対する張力がモニタリングされる。例えば、各組織「Ｔ１」、「Ｔ２」に付与される張力が、単独でかまたは組み合わせて、所定の閾値レベルを超える場合、この上昇した張力は、ステープルラインに作用し、そしてステープルおよび／またはステープルラインに対して過度のひずみが付与される結果となり得る。
【００５６】
１つの実施形態において、図１１Ａに示されるように、外科手術用器具１００は、アンビルアセンブリ１３０のヘッドに提供されてこのヘッドから半径方向外向きに延びる少なくとも１つのプランジャセンサ１６４ａ、およびシェルアセンブリ１３１に提供されてこのアセンブリから外向きに延びる少なくとも１つのプランジャセンサ１６６ａを備える。各プランジャセンサは、ピン１６４ｂ、１６６ｂをそれぞれ備え、これらのピンは、図１１Ａにおいて想像で示されるように、それぞれアンビルアセンブリ１３０およびシェルアセンブリ１３１からスライド可能に突出する。
【００５７】
作動において、比較的低い量の張力が、プランジャセンサ１６４ａ、１６６ａに付与される場合、それらのピン１６４ｂ、１６６ｂは、図１１Ａに想像で示されるように、実質的に延びた状態になる。しかし、第一の組織「Ｔ１」および第二の組織「Ｔ２」が引っ張られるにつれて、第一の組織「Ｔ１」および第二の組織「Ｔ２」は、それぞれアンビルアセンブリ１３０およびシェルアセンブリ１３１の周りで収縮する傾向があり、これによって、各それぞれのプランジャセンサ１６４ａ、１６６ａのピン１６４ｂ、１６６ｂを、半径方向内向きに押し付ける。ピン１６４ｂ、１６６ｂの移動は、第一の組織「Ｔ１」および第二の組織「Ｔ２」に対して付与される張力の程度を計算および／または推定するために使用される。
【００５８】
外科手術用器具１００および磁場センサの構造および作動のより詳細な議論について、２００５年３月２３日に出願された、米国特許出願番号１０／５２８，９７５が参照され得、その全内容は、本明細書中に参考として援用される。
【００５９】
ここで図１２〜１４を参照すると、本開示の別の実施形態による外科手術用器具が、一般に、２００として示される。図１２〜１４に見られるように、外科手術用器具２００は、カートリッジ受容半セクション２１２、アンビル半セクション２１４、カートリッジアセンブリ２１６、および発射スライド２１０を備え、このアンビル半セクション２１４は、カートリッジ受容半セクション２１２に作動可能に連結され、このカートリッジアセンブリ２１６は、カートリッジ受容半セクション２１２の遠位端の内部に取り外し可能に設置されるように構成および適合され、そしてこの発射スライド２１０は、カートリッジ受容半セクション２１２の内部にスライド可能に受容されるように構成および適合される。図１３に見られるように、カートリッジ受容半セクションが、開位置でレバー２３０をクランプしている状態で、アンビル半セクション２１４の近位端は、カートリッジ受容半セクション２１２の近位端において、スライド可能かつ旋回可能に受容可能である。外科手術用器具２００は、設置ボス２５４を備え、これらのボスは、アンビル半セクション２１４から突出し、そしてカートリッジ受容半セクション２１２の遠位端とアンビル半セクション２１４とを接近させるために、カートリッジ受容半セクションクランピングレバー２３０によって規定されるアクセスチャネル２３６ａ内にスライド可能かつ旋回可能に受容可能である。このアクセスチャネル２３６ａは、カートリッジ受容半セクションクランプレバー２３０のアクセスチャネルであるか、またはこのクランプレバーによって規定される。
【００６０】
図１２に見られるように、アンビル半セクション２１４は、実質的にＵ字型の断面輪郭を有する、アンビル半セクションチャネル部材２５０を備える。アンビル半セクション２１４は、アンビルプレート２４４を備え、このアンビルプレート２４４は、アンビル半セクション２１４のアンビル半セクションチャネル部材２５０を覆ってフィットするような構成および寸法にされる。アンビルプレート２４４は、内部に形成された複数のアンビルポケット（図示せず）を備え、これらのポケットは、２対の長手軸方向の列として配置され、そしてアンビルナイフ軌道（図示せず）が、これらの列に沿って、長手軸方向に形成される。
【００６１】
図１２に見られるように、外科手術用器具２００は、旋回可能に連結された発射レバー２６５を備える。発射レバー２６５は、外科手術用器具２００の左側からでも右側からでも、外科手術用器具２００を発射させる能力を、使用者に提供するように構成および適合される。
【００６２】
カートリッジ受容半セクション２１２をアンビル半セクション２１４に連結して閉じる、１つの方法または順序は、図１３および図１４において最もよく見られる。図１３に見られるように、カートリッジレバー２３０が開位置にある状態で、半セクション２１２、２１４の近位端は、互いの方へと接近し、その結果、アンビル半セクション２１４の旋回制限ピン２９６が、カートリッジ受容半セクション２１２の旋回プレート（図示せず）の旋回ピン受容スロット内に入る。旋回制限ピン２９６の形状は、アンビル半セクション２１４がカートリッジ受容半セクション２１２と連結し得る長手軸方向角度（すなわち、カートリッジ受容半セクション２１２とアンビル半セクション２１４との間の角度）を制限する。半セクション２１２、２１４の近位端が互いに連結された状態で、半セクション２１２、２１４の遠位端（またはエンドエフェクタ）は、設置ボス２５４がクランプレバー２３０のアクセスチャネル２３６ａ内に受容されるまで互いの方へと接近する（図１２を参照のこと）。
【００６３】
図１４に見られるように、設置ボスがカートリッジレバー２３０のアクセスチャネル２３６ａ内に位置決めされた状態で、クランプレバー２３０の近位端は、カートリッジ受容半セクション２１２のキャッチ２２６がカートリッジ受容半セクションチャネル部材２３０のラッチ２２４と係合するまで、カートリッジ受容半セクション２１２の方へと接近する（図１３を参照のこと）。クランプレバー２３０をカートリッジ受容半セクション２１２の方へと接近させることによって、設置ボスが、アクセスチャネル２３６ａを通して進められ、これによって、カートリッジ受容半セクション２１２とアンビル半セクション２１４との接近を完了させる。
【００６４】
外科手術用器具２００の構造および作動のより詳細な議論について、２００４年９月１７日に出願された、米国特許出願番号１０／５０８，１９１が参照され得、その全内容が、本明細書中に参考として援用される。
【００６５】
図１２〜１４に見られるように、外科手術用器具２００は、ギャップ感知および／または測定要素（例えば、磁気抵抗素子）２６０を備え、この要素は、カートリッジ受容半セクション２１２の遠位端およびアンビル半セクション２１４の遠位端の長さの少なくとも一部分に沿って、配置される。ギャップ測定要素２６０は、カートリッジ受容半セクション２１２およびアンビル半セクション２１４の各々の外側表面および／または内側表面に沿って、配置され得る。
【００６６】
外科手術用器具２００は、接触感知要素２６２をさらに備え、この要素は、アンビルプレート２４４およびカートリッジアセンブリ２１６の各々の組織接触表面に沿って配置される。この様式で、外科手術用器具２００が標的組織にクランプされる場合に、接触感知要素２６２は、標的組織が、アンビルプレート２４４およびカートリッジアセンブリ２１６の各々の組織接触表面といつ接触したかに関する指標（すなわち、聴覚、視覚、触覚など）を、使用者に提供する。１つの実施形態において、アンビルプレート２４４の遠位端のみ、および／またはカートリッジアセンブリ２１６の遠位端のみに、組織がいつ接触したかを決定することが望ましい。
【００６７】
図１３および図１４に見られるように、外科手術用器具２００は、力感知および／または測定要素２６４（例えば、ひずみゲージ、ロードセルなど）をさらに備え、この要素は、カートリッジ受容半セクション２１２の遠位端およびアンビル半セクション２１４の遠位端の長さの少なくとも一部に沿って、配置される。この様式で、作動において、力感知および／または測定要素２６４は、カートリッジ受容半セクション２１２の遠位端およびアンビル半セクション２１４の遠位端によって標的組織に付与されるクランプ力の測定値を伝達し得る。
【００６８】
ここで図１５〜１９を参照すると、本開示の別の実施形態による外科手術用器具が、一般に、３００として示される。図１５および図１６に見られるように、外科手術用器具３００は、ハンドルアセンブリ３１２および細長本体３１４を備える。図１５および図１６に図示されるように、細長本体３１４の長さは、特定の外科手術手順に適合するように、変化し得る。使い捨て装填ユニットすなわちＤＬＵ  ３１６が、細長本体３１４の遠位端に解放可能に固定される。ＤＬＵ  ３１６は、近位本体部分３１８および遠位ツールアセンブリまたはエンドエフェクタ３２０を備え、この近位本体部分は、細長本体３１４の延長部を形成し、そしてこの遠位ツールアセンブリまたはエンドエフェクタは、第一の部材すなわちカートリッジアセンブリ３２２、および第二の部材すなわちアンビルアセンブリ３２４を備える。ツールアセンブリ３２０は、細長本体３１４の長手方向軸に対して実質的に垂直な軸の周りで、本体３１８に旋回可能に接続される。カートリッジアセンブリ３２２は、複数のステープルを収容する。アンビルアセンブリ３２４は、カートリッジアセンブリ３２２から間隔をあけた開位置と、カートリッジアセンブリ３２２と併置して整列する接近位置またはクランプ位置との間で、カートリッジアセンブリ３２２に対して移動可能である。これらのステープルは、約３０ｍｍ〜約６０ｍｍの長さを有するステープルの線状の列を適用するように、カートリッジアセンブリ３２２に収容され得るが、他のステープルの構成および長さが、予測される。
【００６９】
ハンドルアセンブリ３１２は、静止ハンドル部材３２６、可動ハンドルまたはトリガ３２８、およびバレル部分３３０を備える。回転可能な部材３３２が、バレル部分３３０の前端部に回転可能に設置され、そして細長本体３１４に固定されて、ハンドルアセンブリ３１２に対する細長本体３１４の回転を容易にする。関節運動レバー３３０ａが、バレル部分３３０の遠位部分に支持され、そして本明細書中で以下に記載される様式で、ＤＬＵ
３１６の本体部分３１８に対するツールアセンブリ３２０の関節運動を生じるように作動可能である。１対の戻りノブ３３６が、バレル部分３３０に沿って移動可能に支持され、進められた位置から引き込まれた位置への外科手術用器具３００の動きを引き起こす。
【００７０】
図１７から１９に見られるように、外科手術器具３００は、軸方向駆動アセンブリ３１２を備え、このアセンブリは、遠位作業ヘッド３６８を備える。作業ヘッド３６８の遠位端は、円筒形のカムローラ３８６を支持する。カムローラ３８６は、アンビルアセンブリ３２４のカム表面３０９に係合して、身体組織「Ｔ」に対してアンビルアセンブリ３２４をクランプするような寸法および構成にされる。
【００７１】
作動において、カートリッジアセンブリ３２２およびアンビルアセンブリ３２４を接近させるために、可動ハンドル３２８が、起動行程を介して、静止ハンドル３２６の方へと移動される。可動ハンドル３２８の起動行程を介する連続的な動きは、起動シャフトおよび発射ロッド（図示せず）の前進を引き起こす。起動シャフトが進むにつれて、発射ロッドもまた進む。
【００７２】
発射ロッドは、その遠位端において、軸方向駆動アセンブリ３１２に接続され、その結果、この発射ロッドの前進は、駆動アセンブリ３１２の前進を引き起こす。駆動アセンブリ３１２が進むにつれて、カムローラ３８６が、アンビルアセンブリ３２４のカム表面３０９と係合するように動き（図１７および図１８を参照のこと）、アンビルアセンブリ３２４を、カートリッジアセンブリ３２２の方へと推進し、これによって、カートリッジアセンブリ３２２およびアンビルアセンブリ３２４を接近させ、そしてこれらのアセンブリの間に、組織「Ｔ」をクランプする。
【００７３】
外科手術用器具３００を発射させるために、可動ハンドル３２８は、第二の起動行程を介して動かされ、起動シャフトおよび発射ロッドをさらに遠位に進める。この発射ロッドが遠位に進められるにつれて、駆動アセンブリ３１２は、遠位に進んで、起動そり３３４をステープルカートリッジアセンブリ３２２に通して遠位に進め、同時に、ナイフ３８０（図１７〜１９を参照のこと）を用いて組織を切断し、そしてプッシャー３４８を駆動して、ステープル「Ｓ」を、カートリッジアセンブリ３２２から連続的に排出する。
【００７４】
外科手術用器具３００は、ステープルが約３０ｍｍ〜約６０ｍｍの長さを有する線状の列にある状態で、ステープルカートリッジを有するＤＬＵを受容するように適合される。例えば、外科手術用器具３００の発射の間の可動ハンドル３２８の各起動行程は、起動シャフトを約１５ｍｍ進め得るが、他の長さが予測される。従って、４５ｍｍのステープル列を有するカートリッジアセンブリを発射させるためには、可動ハンドル３２８は、可動ハンドル３２８の接近行程またはクランプ行程の後に、３回の起動行程を介して移動されなければならない。
【００７５】
外科手術用器具３００の構造および作動のさらに詳細な議論について、２００４年３月２４日に出願された、米国特許出願番号１０／４９０，７９０が参照され得、その全体が、本明細書中に参考として援用される。
【００７６】
図１６〜１８に最もよく見られるように、外科手術用器具３００は、ギャップ感知および／または測定要素（例えば、磁気抵抗素子）３６０を備え、この要素は、カートリッジアセンブリ３２２の遠位端およびアンビルアセンブリ３２４の遠位端の長さの少なくとも一部に沿って、配置される。ギャップ測定要素３６０は、カートリッジアセンブリ３２２およびアンビルアセンブリ３２４の各々の、外側表面および／または内側表面に沿って、配置され得る。
【００７７】
外科手術用器具３００は、接触感知要素３６２をさらに備え、この要素は、アンビルアセンブリ３２４の組織接触表面およびカートリッジアセンブリ３２２の組織接触表面に沿って配置される。この様式で、外科手術用器具３００が標的組織「Ｔ」にクランプされると、接触感知要素３６２は、この標的組織がアンビルアセンブリ３２４の組織接触表面およびカートリッジアセンブリ３２２の組織接触表面といつ最初に接触したかに関する指標（例えば、聴覚、視覚、触覚など）を、使用者に提供する。
【００７８】
図１７および図１８に見られるように、外科手術用器具３００は、力感知および／または測定要素３６４（例えばひずみゲージ、ロードセルなど）をさらに備え、この要素は、カートリッジアセンブリ３２２の遠位端およびアンビルアセンブリ３２４の遠位端の長さの少なくとも一部に沿って、配置される。この様式で、作動において、力感知および／または測定要素３６４は、カートリッジアセンブリ３２２の遠位端およびアンビルアセンブリ３２４の遠位端によって標的組織に付与されるクランプ力の測定値を伝達し得る。力感知および／または測定要素（例えば、ロードセルおよび／またはひずみゲージ）のより詳細な議論について、米国特許出願番号１１／４０９，１５４が参照され得、その全内容が、本明細書中に参考として援用される。
【００７９】
１つの実施形態において、容量性素子が、この外科手術用器具の顎部材の間のギャップを決定するために使用され得る。例えば、プレートが、これらの顎部材の各側またはその近くに設置され得、その結果、これらの顎部材の動きが、この容量性素子のプレートの間のギャップ、またはこの容量性素子のプレートの共有面積（すなわち、重なり）の量を変化させる。これらのプレートの間に電圧を印加することによって、コンデンサおよび電場が、これらのプレートの間に形成され得る。従って、これらのプレートに印加される電位、これらのプレートの間のギャップ、およびこれらのプレートの重なりの量は、このコンデンサがエネルギーを貯蔵し、その電場の強さおよび大きさを決定することを可能にする。これらの顎部材の動きは、キャパシタンスの変化および電場の変化に変換され得る。これらのいずれかまたは両方が、測定および使用されて、これらの顎部材の分離距離または移動を決定し得る。
【００８０】
別の実施形態において、上記外科手術用器具のいずれかは、ギャップを決定するために、電磁誘導センサを備え得、そして／または電磁誘導センサの使用を組み込み得る。電磁誘導センサは、センサコイルと伝導性標的物質との間の距離の変化から生じる、センサコイルのインピーダンスの変化を検出するために使用され得る。例えば、交流電流によって駆動されるコイルは、振動する磁場を発生させ得、この磁場が、次に、標的金属物体において渦電流を誘導する。この渦電流は、このコイルの電流の逆方向に動き、これによって、このコイルにおける磁束およびそのインダクタンスを低下させる。渦電流はまた、エネルギーを消散させて、コイルの抵抗を増加させる。使用において、標的がコイルに接近すると、抵抗が増加し、そしてインダクタンスが低下する。抵抗およびインダクタンスにおけるこれらの変化は、距離に比例し、そして電磁誘導センサを使用する場合の位置感知の基礎である。
【００８１】
なお別の実施形態において、上述の外科手術用器具のいずれかは、誘導センサ（例えば、リニアバリアブル差動変圧器（ＬＶＤＴ））を備え、そして／またはこのセンサの使用を組み込み、ギャップを決定するために、運動を電気信号に変換し得る。この外科手術用器具の要素（誘導センサが挙げられる）の互いに対する動きは、全体的なインダクタンスまたは誘導結合を変化させる。インダクタンスまたは誘導結合のこれらの変化は、検出され得、そしてＬＶＤＴ位置感知の基礎である。
【００８２】
なお別の実施形態において、上述の外科手術用器具のいずれかは、薄膜ジャイアント磁気抵抗（ＧＭＲ）材料を備え得、そして／またはこの材料の使用を組み込み得、これらの材料は、磁場を発生させるための供給源に隣接して配置される。例えば、ＧＭＲおよび磁場を発生させるための供給源は、この外科手術用器具の顎部材のそれぞれ１つに配置され得る。従って、ＧＭＲ材料から、磁場を発生させるための供給源までの距離は、顎部材の間のギャップのサイズの変化と共に変動する。薄膜ＧＭＲ材料は、２層の磁性材料を備え得る。各層の導電性は、個々の層の磁気配置および個々の電子のスピンに依存する。特定の磁気配置を有する層は、特定のスピンの電子の通過のみを許容する。これらの層が整列していない場合、特定のスピンを有する電子は、一方の層を通過するが、他方の層を通過せず、これによって、全体的な抵抗が高くなる。これらの層が磁気整列している場合（これは、ＧＭＲフィルムが磁場内に配置される場合に起こる）、両方の層が、同じスピンを有する電子に対して透過性であり、そしてこれらの層を通る抵抗が低下する。シリコーン基板上に導電性に配置された層は、種々の構成の抵抗器として構成され得、最も通常のものは、ホイットストーンブリッジである。ＧＭＲから、磁場を発生させるための供給源までの距離は、場の強度と距離との間の関係に基づいて計算される。
【００８３】
１つの実施形態において、上述の外科手術用器具のいずれかは、顎部材の間のギャップのサイズを決定するための、ホール効果センサを備え得、そして／またはこのセンサの使用を組み込み得る。ホール効果センサは、半導体材料のシートであり、このシートを横切って、一定の電圧が印加され、そして一定のバイアス電流を伝導する。このシートを横切る、一定の印加電圧に対して垂直な軸上での電圧差は、このシートが曝露される磁場の強度に比例する。このセンサから磁石までの距離は、場の強度と距離との間の関係を知ることによって、決定される。
【００８４】
別の実施形態において、上述の外科手術用器具のいずれかの顎部材の間のギャップのサイズは、光学ベースのセンサによって決定され得る。光学ベースのセンサの１つの型としては、拡散センサが挙げられ、このセンサは、代表的に、互いに併置された関係で配置される、発光器および受光器を備える。この受光器は、標的組織から反射される光の強度を測定する。この反射される光の強度は、発光器と標的組織との間の距離に関連し、そしてこのような距離は、ステープラーのギャップ距離と解釈される。
【００８５】
別の型の光学センサとしては、飛行時間型センサが挙げられる。飛行時間型センサは、光の速度を、発光された光および／または反射光が受光器によって検出されるまでにかかる時間で除算することによって、距離を測定する。光学センサのさらなる型は、三角測量技術を利用する。三角測量とは、レーザーが、標的から反射されてレンズを通過した平行化された光線を投影する、測定スキームである。このレンズは、反射された光線を、受光要素に集束させる。センサと標的との間の距離の変化は、戻る光の角度の変化を生じさせ、その結果、受光アレイ上での光線の位置の変化を生じさせる。この距離は、受光アレイ上での光線の位置によって、決定される。
【００８６】
なお別の実施形態において、上述の外科手術用器具のいずれかの顎部材の間のギャップのサイズは、超音波センサを利用することによって、決定され得る。このセンサは、放出される音が標的から反射してセンサに戻るまでに要する時間の半分だけ、既知の速度の音波を反射させることによって、距離を測定する。これらの超音波センサは、外科手術用器具の各顎部材に組み込まれ得る。
【００８７】
なお別の実施形態において、上述の外科手術用器具のいずれか１つの顎部材の線形運動は、調節可能な可変抵抗と結び付けられ得る（すなわち、電位差計（「ＰＯＴ」））。ＰＯＴは、代表的に、抵抗素子の両端において２つの固定された接点を介し、そして各端部の間をスライド可能な第三の接点（すなわち、ワイパー）を介して、回路に取り付けられた、抵抗素子を備える。このスライドする接点は、このＰＯＴを２つの抵抗に分割し、そしてこれらの２つの固定された接点にわたる電圧は、各固定された接点とワイパーとの間で分割される。このＰＯＴは、線形運動がこのワイパーの位置に結び付けられるように構成され得、その結果、出力電圧は、このワイパーの線形運動に直接関連する。
【００８８】
上記のように、組織接触センサまたは組織圧力センサは、いつ顎部材が最初に組織「Ｔ」と接触するかを決定する。このことは、外科医が、組織「Ｔ」の初期厚さおよび／またはクランプ前の組織「Ｔ」の厚さを決定することを可能にする。上記外科手術用器具の実施形態のいずれにおいても、図２０に見られるように、顎部材と組織「Ｔ」との接触は、感知回路「ＳＣ」を閉じる。この回路は、その他の場合には、顎部材上に提供された１対の対向するプレート「Ｐ１」、「Ｐ２」との接触を確立することによって、開いている。この接触センサはまた、感知力変換器を備え得、この変換器は、このセンサに付与される力の量を決定し、この力は、組織「Ｔ」に付与される力の量と同じであるとみなされ得る。次いで、この組織に付与されるこのような力は、組織圧縮の量と解釈され得る。これらのセンサは、組織が受けている圧縮の量を測定し、そして外科医に、組織「Ｔ」に付与されている力に関する情報を提供する。過剰の組織圧縮は、手術されている組織「Ｔ」に対して負の影響を有し得る。例えば、組織「Ｔ」の過度の圧縮は、組織の壊死を引き起こし得、そして特定の手順においては、ステープルラインを誤る。組織「Ｔ」に付与されている圧力に関する情報は、過度の圧力が組織「Ｔ」に付与されないことを、外科医がよりうまく決定することを可能にする。
【００８９】
本明細書中に開示される任意の接触センサとしては、顎部材の内側表面に配置された電気接点が挙げられ得るが、これに限定されない。これらの電気接点は、組織と接触する場合に、感知回路を閉じる（この回路は、その他の場合には、開いている）。これらの接触センサはまた、感知力変換器を備え得、この変換器は、クランプされる組織がいつ最初に圧縮に抵抗するかを検出する。力変換器としては、圧電素子、ピエゾ抵抗素子、金属箔ひずみゲージもしくは半導体ひずみゲージ、誘導性圧力センサ、容量性圧力センサ、および電位差圧力変換器（これは、ブルドン式管、カプセルまたはじゃばらを使用して、ワイパーアームを抵抗素子上で駆動する）が挙げられ得るが、これらに限定されない。
【００９０】
１つの実施形態において、上述の外科手術用器具のいずれか１つは、１つ以上の圧電素子を備えて、顎部材に対して発生する圧力の変化を検出する。圧電素子は、二方向性変換器であり、これは、応力を電位に変換する。素子は、めっきされた石英またはセラミックからなり得る。作動において、応力がこれらの結晶に付与されると、この材料の電荷分布に変化が生じ、これによって、この材料にわたる電圧の発生が起こる。圧電素子は、顎部材のいずれか一方または両方が、いつ組織「Ｔ」と接触するか、および接触が確立した後に、組織「Ｔ」に対して付与される圧力の量を示すために、使用され得る。
【００９１】
１つの実施形態において、上述の外科手術用器具のいずれか１つは、その本体の一部の内部または表面に配置された、１つ以上の金属ひずみゲージを備え得るか、または提供され得る。金属ひずみゲージは、材料の抵抗が、長さ、幅および厚さに依存するという原理に基づいて作動する。従って、金属ひずみゲージの材料がひずみを受けると、この材料の抵抗が変化する。従って、回路に組み込まれる、この材料から作製される抵抗器は、ひずみを、電気信号の変化に変換する。望ましくは、このひずみゲージは、外科手術用器具に配置され得、その結果、組織に付与される圧力が、このひずみゲージを作動させる。
【００９２】
あるいは、別の実施形態において、１つ以上の半導体ひずみゲージが、上記金属ひずみゲージと類似の様式で使用され得るが、変換の様式が異なる。作動において、半導体ひずみゲージの結晶格子構造が、付与される応力の結果として変形すると、その金属の抵抗が変化する。この減少は、ピエゾ抵抗効果と称される。
【００９３】
なお別の実施形態において、上述の外科手術用器具のいずれか１つは、１つ以上の誘導性圧力センサを備えるかまたは提供されて、圧力または力を、互いに対する誘導素子の動きに変換し得る。誘導性素子の互いに対するこの動きは、全体的なインダクタンスまたは誘導結合を変化させる。容量性圧力変換器は、同様に、圧力または力を、容量性素子の互いに対する動きに変換して、全体のキャパシタンスを変化させる。
【００９４】
なお別の実施形態において、上述の外科手術用器具のいずれか１つは、１つ以上の容量性圧力変換器を備えるかまたは提供されて、圧力または力を、容量性素子の互いに対する動きに変換して、全体のキャパシタンスを変化させる。
【００９５】
１つの実施形態において、上述の外科手術用器具のいずれか１つは、１つ以上の機械的圧力変換器を備えるかまたは提供されて、圧力または力を動きに変換し得る。使用において、機械的要素の動きは、ゲージ上のポインタまたはダイヤルをたわませるために使用される。このポインタまたはダイヤルのこの動きは、組織「Ｔ」に付与される圧力または力を表し得る。機械的素子の例としては、ブルドン式（ｂｏｕｒｂｏｎ）の管、カプセルまたはじゃばらが挙げられるが、これらに限定されない。例として、機械的素子は、他の測定要素および／または感知要素（例えば、電位差圧力変換器）と組み合わせられ得る。この例において、機械的素子は、可変抵抗のワイパーと接続される。使用において、圧力または力は、機械的な動きに変換され得、これが、電位差計のワイパーをたわませ、これによって、抵抗を変化させ、付与される圧力または力を反映する。
【００９６】
上記実施形態の組み合わせ（特に、ギャップセンサと組織接触センサとの組み合わせ）は、手術部位および／または標的組織「Ｔ」の状態に関するフィードバック情報および／またはリアルタイムの情報を、外科医に提供する。例えば、組織「Ｔ」の初期厚さに関する情報は、適切なステープルサイズを選択する際に、この外科医を補助し得、組織「Ｔ」のクランプされた厚さに関する情報は、この外科医に、選択されたステープルが適切に形作られるか否かを知らせ得、組織「Ｔ」の初期厚さおよびクランプされた厚さに関する情報は、組織「Ｔ」に対する圧縮またはひずみの量を決定するために使用され得、そして組織「Ｔ」に対するひずみに関する情報は、このひずみを使用して、組織を過剰の応力値まで圧縮すること、および／または過剰のひずみを受けている組織をステープル留めすることを回避するために使用され得る。
【００９７】
さらに、力センサは、組織に付与される圧力の量を外科医に提供するために使用され得る。この外科医は、この情報を使用して、組織「Ｔ」に対して過剰の圧力を付与すること、または過剰のひずみを受けている組織「Ｔ」をステープル留めすることを回避し得る。
【００９８】
図１および図４〜６Ａを参照すると、接触センサ６０に加えて、外科手術用器具１０は、ひずみゲージ６２を備え得、このひずみゲージは、カートリッジアセンブリ２０の組織接触表面およびアンビルアセンブリ２２の組織接触表面の長さに沿って、配置される。
【００９９】
図１、図７、図１２および図１５に見られるように、上述の外科手術用器具のいずれかは、外科手術手順の前、外科手術手順中および／または外科手術手順後に、外科手術用器具の構成要素の要素のいずれかから観察され、測定され、感知され、そして／または伝達された情報をモニタリングし、制御し、処理し、そして／または格納するために、中央処理装置（ＣＰＵ）、ｅ−モータ（電子モータ）などに選択的に電気的に接続され得る。
【０１００】
本開示の局面によれば、組織を手術するための外科手術用器具が提供される。この外科手術用器具は、エンドエフェクタ、ギャップ決定要素、および組織接触決定要素を備え、このエンドエフェクタは、第一の組織係合部材、およびこの第一の組織係合部材に併置された関係の第二の組織係合部材を備え、このギャップ決定要素は、この第一の組織係合部材とこの第二の組織係合部材との間のギャップ距離を測定するために、この第一の組織係合部材およびこの第二の組織係合部材の各々に作動可能に結びつき、そしてこの組織接触決定要素は、この第一の組織係合部材およびこの第二の組織係合部材のうちの少なくとも一方の、それぞれの組織接触表面と作動可能に結びついている。本開示はまた、この外科手術用器具を使用する方法に関する。
【０１０１】
種々の改変が、本明細書中で開示された実施形態に対してなされ得ることが、理解される。従って、上記説明は、限定として解釈されるべきではなく、単に、好ましい実施形態の例示として解釈されるべきである。当業者は、本明細書に添付される特許請求の範囲の範囲および精神内で、他の改変を予測する。
【図１】
0005647095.tif 000002
【図２】
0005647095.tif 000003
【図３】
0005647095.tif 000004
【図３Ａ】
0005647095.tif 000005
【図４】
0005647095.tif 000006
【図４Ａ】
0005647095.tif 000007
【図５】
0005647095.tif 000008
【図５Ａ】
0005647095.tif 000009
【図６】
0005647095.tif 000010
【図６Ａ】
0005647095.tif 000011
【図７】
0005647095.tif 000012
【図８】
0005647095.tif 000013
【図９】
0005647095.tif 000014
【図１０】
0005647095.tif 000015
【図１１】
0005647095.tif 000016
【図１１Ａ】
0005647095.tif 000017
【図１２】
0005647095.tif 000018
【図１３】
0005647095.tif 000019
【図１４】
0005647095.tif 000020
【図１５】
0005647095.tif 000021
【図１６】
0005647095.tif 000022
【図１７】
0005647095.tif 000023
【図１８】
0005647095.tif 000024
【図１９】
0005647095.tif 000025
【図２０】
0005647095.tif 000026